(57)【要約】【課題】原稿の無給紙ＪＡＭが発生した場合でも、当該原稿の両面画像の読取開始を早めることが可能な複合機１００を提供する。【解決手段】原稿の一面の画像を読み取るためのＣＣＤと、当該原稿の他面の画像を読み取るためのＣＩＳとを起動させて、原稿の両面画像を読み取る画像読取制御部４０２と、前記ＣＣＤ及びＣＩＳが配置された搬送路Ｐを備え、載置された前記原稿を前記搬送路に沿って搬送する原稿搬送部４０３と、前記搬送路Ｐおいて、前記原稿の無給紙から生じる無給紙ＪＡＭが生じたか否かを検知する無給紙ＪＡＭ検知部４０４を備える。前記画像読取制御部４０２は、前記無給紙ＪＡＭが生じた場合に、前記起動中の前記ＣＩＳを停止させることなく、そのまま起動中の状態にしておく【選択図】図４
2016012775.tif 000002
【特許請求の範囲】
【請求項１】
原稿の一面の画像を読み取るための第１読取部と、当該原稿の他面の画像を読み取るための第２読取部とを起動させて、原稿の両面画像を読み取る画像読取制御部と、
前記第１読取部及び第２読取部が配置された搬送路を備え、載置された前記原稿を前記搬送路に沿って搬送する原稿搬送部と、
前記搬送路おいて、前記原稿の無給紙から生じる無給紙ＪＡＭが生じたか否かを検知する無給紙ＪＡＭ検知部と、を備え、
前記第２読取部は、ＣＩＳを含み、
前記画像読取制御部は、前記無給紙ＪＡＭが生じた場合に、前記起動中の前記ＣＩＳを停止させることなく、そのまま起動中の状態にしておくことを特徴とする画像読取装置。
【請求項２】
前記画像読取制御部は、前記無給紙ＪＡＭが生じた時点からの経過時間を計時し、当該計時した経過時間が予め設定された閾時間を超過した場合に、前記起動中の状態の前記ＣＩＳを強制的に停止させる請求項１に記載の画像読取装置。
【請求項３】
原稿の一面の画像を読み取るための第１読取部と、当該原稿の他面の画像を読み取るためのＣＩＳを含む第２読取部とを起動させて、原稿の両面画像を読み取るステップと、
前記第１読取部及び第２読取部が配置された搬送路を備え、載置された前記原稿を前記搬送路に沿って搬送する原稿搬送部の搬送路において、前記原稿の無給紙から生じる無給紙ＪＡＭが生じたか否かを検知するステップと、
前記無給紙ＪＡＭが生じた場合に、前記起動中の前記ＣＩＳを停止させることなく、そのまま起動中の状態にしておくステップと
を備えることを特徴とする画像読取方法。
【発明の詳細な説明】
【技術分野】
【０００１】
本発明は、画像読取装置及び画像読取方法に関する。
【背景技術】
【０００２】
従来より、原稿の表面の画像と裏面の画像とを一回の原稿搬送で読み取る画像読取装置が存在する。この画像読取装置は、例えば、原稿の表面をＣＣＤイメージセンサ（ＣＣＤ：Ｃｈａｒｇｅ  Ｃｏｕｐｌｅｄ  Ｄｅｖｉｃｅ）で読み取り、当該原稿の裏面を密着型イメージセンサ（ＣＩＳ：Ｃｏｎｔａｃｔ  Ｉｍａｇｅ  Ｓｅｎｓｏｒ）で読み取る。
【０００３】
このような画像読取装置の画像読取のスピードアップを図るために、例えば、特開２０１０−１６６３１８号公報（特許文献１）に、片面読取モードが選択されてスタートキーが操作されたとき、ゲイン調整が可能な状態であっても直ぐにゲイン調整を実行せず、原稿の表面情報の読取りを優先させて原稿読取動作をスピードアップする画像形成装置が開示されている。
【先行技術文献】
【特許文献】
【０００４】
【特許文献１】特開２０１０−１６６３１８号公報
【発明の概要】
【発明が解決しようとする課題】
【０００５】
上述のように、画像読取装置では原稿の画像読取のスピードアップが課題となっている。一方、上述した特許文献１に記載の技術は、片面読取モードが設定された場合に適用されるため、両面読取モードに適用することが出来ないという問題がある。
【０００６】
そこで、本発明は、前記問題を解決するためになされたものであり、原稿の無給紙ＪＡＭが発生した場合でも、当該原稿の両面画像の読取開始を早めることが可能な画像読取装置及び画像読取方法を提供することを目的とする。
【課題を解決するための手段】
【０００７】
上述した課題を解決し、目的を達成するために、本発明に係る画像読取装置は、原稿の一面の画像を読み取るための第１読取部と、当該原稿の他面の画像を読み取るための第２読取部とを起動させて、原稿の両面画像を読み取る画像読取制御部と、前記第１読取部及び第２読取部が配置された搬送路を備え、載置された前記原稿を前記搬送路に沿って搬送する原稿搬送部と、を備える。又、本発明は、前記搬送路において、前記原稿の無給紙から生じる無給紙ＪＡＭが生じたか否かを検知する無給紙ＪＡＭ検知部を備え、前記第２読取部は、ＣＩＳを含む。又、前記画像読取制御部は、前記無給紙ＪＡＭが生じた場合に、前記起動中の前記ＣＩＳを停止させることなく、そのまま起動中の状態にしておくことを特徴とする。
【０００８】
又、前記画像読取制御部は、前記無給紙ＪＡＭが生じた時点からの経過時間を計時し、当該計時した経過時間が予め設定された閾時間を超過した場合に、前記起動中の状態の前記ＣＩＳを強制的に停止させる。
【０００９】
又、本発明に係る画像読取方法は、原稿の一面の画像を読み取るための第１読取部と、当該原稿の他面の画像を読み取るためのＣＩＳを含む第２読取部とを起動させて、原稿の両面画像を読み取るステップを備える。又、本発明は、前記第１読取部及び第２読取部が配置された搬送路を備え、載置された前記原稿を前記搬送路に沿って搬送する原稿搬送部の搬送路において、前記原稿の無給紙から生じる無給紙ＪＡＭが生じたか否かを検知するステップを備える。又、本発明は、前記無給紙ＪＡＭが生じた場合に、前記起動中の前記ＣＩＳを停止させることなく、そのまま起動中の状態にしておくステップとを備えることを特徴とする。
【発明の効果】
【００１０】
本発明の画像読取装置及び画像読取方法によれば、原稿の無給紙ＪＡＭが発生した場合でも、当該原稿の両面画像の読取開始を早めることが可能となる。
【図面の簡単な説明】
【００１１】
【図１】本発明の実施形態に係る複合機の概略模式図である。
【図２】本発明の実施形態に係る操作部の全体構成を示す概念図である。
【図３】本発明の実施形態に係る複合機の制御系ハードウェアの構成を示す図である。
【図４】本発明の実施形態に係る複合機の機能ブロック図である。
【図５】本発明の実施形態の実行手順を示すためのフローチャートである。
【図６】本発明に係る画像読取部の概略模式図（図６Ａ）と、両面画像読取開始におけるＣＩＳ、ＡＦＥ、ＡＳＩＣとの関係を示す図（図６Ｂ）と、無給紙ＪＡＭ不解消におけるＣＩＳ、ＡＦＥ、ＡＳＩＣとの関係を示す図（図６Ｃ）である。
【発明を実施するための形態】
【００１２】
以下に、添付図面を参照して、本発明の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１３】
以下に、本発明の実施形態の一例として、原稿の両面読み取り可能な画像読取部を備える画像形成装置について説明する。尚、本発明の画像形成装置は、例えば、コピー、スキャナ、プリンタ等の機能を備えた複合機（ＭＦＰ：Ｍｕｌｔｉ  Ｆｕｎｃｔｉｏｎ  Ｐｅｒｉｐｈｅｒａｌ）が該当する。
【００１４】
複合機１００は、図１に示すように、操作部１０１を介してユーザーから印刷ジョブの設定条件を受け付けて、画像読取部１０２で原稿の片面又は両面の画像を読み取り、画像形成部、搬送部、定着部等を駆動して、当該印刷ジョブを提供する。
【００１５】
ここで、画像読取部１０２には、原稿の表面の画像を読み取るＣＣＤと、当該原稿の裏面の画像を読み取るＣＩＳとを備え、操作部１０１により原稿の両面印刷が指示されると、画像読取部１０２が、原稿トレイの原稿から一枚ずつ原稿を搬送し、当該原稿の両面の画像を読み取る。
【００１６】
次に、図２を用いて、操作部１０１の構成を説明する。操作部１０１は、図２に示すように、タッチパネル２０１（操作パネル）、操作キー２０２が設けられており、ユーザーは、操作部１０１を用いて、所定の指示を入力したり、所定の操作画面を確認したりする。タッチパネル２０１では、所定の画面が表示されたり、当該表示された画面内のキーを押下することによって、当該押下されたキーに対応する情報が入力されたりする。操作キー２０２では、例えば、テンキー、スタートキー、クリアキー、ストップキー、リセットキー、電源キー等が備えられている。
【００１７】
次に、図３を用いて、複合機１００の制御系ハードウェアの構成を説明する。複合機１００の制御回路は、図３に示すように、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、操作部１０１、画像読取部１０２を内部バス３０６によって接続している。
【００１８】
複合機１００のＣＰＵは、例えば、ＲＡＭを作業領域として利用し、ＲＯＭ、ＨＤＤ等に記憶されているプログラムを実行し、当該実行結果に基づいてドライバ、操作部１０１、画像読取部１０２からのデータや指示、信号、命令等を授受し、図１に示した各駆動部の動作を制御する。又、駆動部以外の後述する各手段（図４に示す）についても、ＣＰＵが、各プログラムを実行することで当該各手段を実現する。ＲＯＭ、ＲＡＭ、ＨＤＤ等には、以下に説明する各手段を実現するプログラムやデータが記憶されている。
【００１９】
次に、図４、図５を参照しながら、本発明の実施形態に係る構成及び実行手順について説明する。先ず、ユーザーが、複合機１００の電源を投入すると、当該複合機１００の表示受付手段４０１が、操作部１０１のタッチパネル上に操作画面を表示して、印刷ジョブの受付を開始する。又、前記複合機１００の画像読取制御部４０２が、画像読取部１０２の電源を投入して、原稿の画像読取の受付を開始する。
【００２０】
ここで、ユーザーが、画像読取部１０２の原稿搬送部４０３の原稿トレイに両面印刷用の（一又は複数の）原稿を載置し（図５：Ｓ１０１）、操作部１０１を介して、両面画像読取の指示を含む両面印刷ジョブを入力すると、表示受付部４０１が、当該両面印刷ジョブを受け付けて（図５：Ｓ１０２）、その旨を画像読取制御部４０２に通知する。当該通知を受けた画像読取制御部４０２は、図６Ａに示すように、画像読取部１０２の原稿搬送部４０３において原稿の一面（表面）の画像を読み取るためのＣＣＤ１０２ａ（第１読取部）を起動するとともに（図５：Ｓ１０３）、原稿の他面（裏面）の画像を読み取るためのＣＩＳ１０２ｂ（第２読取部）を起動する（図５：Ｓ１０４）。
【００２１】
ここで、原稿搬送部４０３は、ＣＣＤ１０２ａ及びＣＩＳ１０２ｂが配置された搬送路Ｐを備え、載置された前記原稿を前記搬送路Ｐに沿って搬送する。又、画像読取制御部４０２が、前記ＣＩＳ１０２ｂを起動する場合は、以下のようになる。即ち、図６Ｂに示すように、前記ＣＩＳ１０２ｂは、当該ＣＩＳ１０２ｂからの出力信号を増幅する増幅器（ＡＦＥ）１０２ｃに接続されており、前記ＡＦＥ１０２ｃは、当該ＡＦＥ１０２ｃからの増幅信号を画像データとして処理するＡＳＩＣ１０２ｄに接続されている。そのため、画像読取制御部４０２は、前記ＣＩＳ１０２ｂと、前記ＡＦＥ１０２ｃと、前記ＡＳＩＣ１０２ｄとに電力供給し（ＯＮ）、前記ＣＩＳ１０２ｂと前記ＡＦＥ１０２ｃとの間の補正処理（ゲイン調整等）と、前記ＡＦＥ１０２ｃと前記ＡＳＩＣ１０２ｄとの間の補正処理とを実施する。これらの補正処理には、数秒−数十秒を要する。これらの補正処理が完了すると、前記画像読取制御部４０２は、前記ＣＩＳ１０２ｂを用いて、原稿の裏面の画像読取を開始することが出来る。
【００２２】
さて、前記ＣＩＳ１０２ｂの起動が完了すると、前記画像読取制御部４０２は原稿の両面の画像読取を開始する（図５：Ｓ１０５）。前記画像読取制御部４０２は、先ず、図６Ａに示すように、所定のモータを回転させることで、原稿トレイの下流側に予め設けられた搬送ローラ１０２ｅを回転させて、原稿トレイから原稿を引き出して当該原稿を搬送する。次に、前記画像読取制御部４０２は、搬送路上に予め設けられたセンサ１０２ｆを用いて、前記原稿の搬送を確認するとともに、これで当該原稿の読み取りタイミングを取り、先ずは、前記ＣＩＳ１０２ｂにより、当該搬送された原稿の裏面の画像を読み取る。次に、前記画像読取制御部４０２は、前記原稿の搬送を継続して、前記ＣＣＤ１０２ａにより、当該搬送された原稿の表面の画像を読み取る。これにより、当該原稿の両面の画像の読取を完了する。そして、前記画像読取制御部４０２は、前記搬送した原稿を排紙トレイで排出して、一枚の原稿の両面の画像読取を完了する。
【００２３】
ここで、前記画像読取制御部４０２が、前記原稿の両面の画像読取を開始する際に、無給紙ＪＡＭ検知部４０３と通信し、当該無給紙ＪＡＭ検知部４０３からの信号に基づいて、前記原稿の無給紙から生じる無給紙ＪＡＭが生じたか否かを検知する（図５：Ｓ１０６）。
【００２４】
前記画像読取制御部４０２が検知する方法は、特に限定は無いが、例えば、前記モータの回転が開始された際に、当該モータの回転が開始された時点からの経過時間を計測し、当該経過時間が予め設定された第一の閾時間を超過するまでに、前記センサ１０２ｆが原稿を検知したか否かを判定する。
【００２５】
前記判定の結果、前記経過時間が前記第一の閾時間を超過する前に、前記センサ１０２ｆが原稿を検知した場合は、前記画像読取制御部４０２は、無給紙ＪＡＭが生じないと検知する（図５：Ｓ１０６ＮＯ）。この場合、画像読取制御部４０２が、未だ原稿の両面の画像読取を完了しない場合には（図５：Ｓ１０７ＮＯ）、Ｓ１０５へ戻って、原稿の両面の画像読取を継続する。
【００２６】
一方、Ｓ１０６において、前記判定の結果、前記経過時間が前記第一の閾時間を超過するまでに、前記センサ１０２ｆが原稿を検知しなかった場合は、前記画像読取制御部４０２は、無給紙ＪＡＭが生じたと検知する（図５：Ｓ１０６ＹＥＳ）。この無給紙ＪＡＭは、例えば、原稿トレイに対する原稿の置き方が悪かったり、ステープルされた原稿がそのまま原稿トレイに置かれたりすると、発生する可能性がある。この場合、前記画像読取制御部４０２は、起動中のＣＩＳ１０２ｂを停止させることなく、そのまま起動中の状態にしておく（図５：Ｓ１０８）。これにより、無給紙ＪＡＭが解消された場合に、直ぐに、両面の画像読取を開始することが可能となる。即ち、従来では、無給紙ＪＡＭが発生すると、前記ＣＩＳ１０２ｂへの電力供給が停止されていた。この場合、仮に、無給紙ＪＡＭが解消されると、前記ＣＩＳ１０２ｂを再起動させることになるが、上述のように、当該ＣＩＳ１０２ｂの起動には、多種の補正処理が必要であり、時間が掛かるという問題が生じ得る。本発明では、前記ＣＩＳ１０２ｂを起動中の状態にしておくことで、前記補正処理をすることなく、直ぐに、両面の画像読取を開始することが可能となり、ユーザーの利便性を向上させる。尚、画像読取部１０２には、通常、インターロックを内蔵していないため、例えば、ユーザーが無給紙ＪＡＭの解消のために、画像読取部１０２のカバー等を操作したとしても、前記ＣＩＳ１０２ｂの起動が強制的に停止されることは無い。
【００２７】
さて、前記画像読取制御部４０２が前記ＣＩＳ１０２ｂの起動を継続すると、その旨を表示受付部４０１に通知し、当該通知を受けた表示受付部４０１は、図２に示すように、無給紙ＪＡＭが発生した旨を示すメッセージ画面２０３をタッチパネル２０１上に表示させる（図５：Ｓ１０９）。前記メッセージ画面２０３には、無給紙ＪＡＭが発生した旨のメッセージ２０４と、ユーザーに無給紙ＪＡＭの解消を促す旨のメッセージ２０５と、両面の画像読取を再開させるための再開キー２０６と、両面の画像読取を中止させるための中止キー２０７とが表示される。これにより、ユーザーは、無給紙ＪＡＭの発生を知ることが可能となる。
【００２８】
ユーザーが前記メッセージ画面２０３を見ながら、原稿トレイから原稿を抜き差しし直し、前記再開キー２０６を選択すると（図５：Ｓ１１０ＹＥＳ）、前記表示受付部４０１が当該再開キー２０６の選択を受け付けて、その旨を画像読取制御部４０２に通知し、当該通知を受けた画像読取制御部４０２は、Ｓ１０５へ戻って、画像読取を再開する（図５：Ｓ１０５）。この時点では、未だ、前記ＣＩＳ１０２ｂは起動中であるため、直ぐに両面の画像読取を開始することが出来る。これにより、ファーストコピー時間を短縮することが可能となる。
【００２９】
ここで、前記無給紙ＪＡＭが生じた場合に、前記画像読取制御部４０２は、前記無給紙ＪＡＭが生じた時点から所定時間が経過したか否かを判定する。（図５：Ｓ１１１）。具体的には、前記画像読取制御部４０２は、前記無給紙ＪＡＭが生じた時点からの経過時間を計時し、当該計時した経過時間が予め設定された第二の閾時間を超過するか否かを判定する。
【００３０】
前記判定の結果、前記経過時間が前記第二の閾時間を超過しない場合（図５：Ｓ１１１ＮＯ）、Ｓ１０９へ戻って、前記表示受付部４０１が、ユーザーからの前記再開キー２０６の選択を待ち、前記画像読取制御部４０２は、前記判定を繰り返す（図５：Ｓ１１１）。
【００３１】
一方、Ｓ１１１において、前記判定の結果、前記経過時間が前記第二の閾時間を超過した場合（図５：Ｓ１１１ＹＥＳ）、前記画像読取制御部４０２は、何らかの理由により、暫くの間、ユーザーからの原稿の抜き差しが行われないと判定し、前記起動中の状態のＣＩＳ１０２ｂを強制的に停止させる（図５：Ｓ１１２）。この場合、図６Ｃに示すように、前記画像読取制御部４０２４０５は、前記ＣＩＳ１０２ｂ及び前記ＡＦＥ１０２ｃの電力供給を停止させる（ＯＦＦ）。この場合、前記ＡＳＩＣ１０２ｄの電力供給は継続される（ＯＮ）。これにより、前記ＣＩＳ１０２ｂの起動による消費電力を抑えることが可能となる。この場合、例えば、後から来たユーザーが、無給紙ＪＡＭを解消して、画像読取を再開させたり、画像読取自体を中止させたりする処理を複合機１００に実行させる。つまり、次のジョブが開始される。尚、前記ＣＩＳ１０２ｂが停止した後に、再起動される場合、上述したように、前記ＣＩＳ１０２ｂと前記ＡＦＥ１０２ｃとの間の補正処理と、前記ＡＦＥ１０２ｃと前記ＡＳＩＣ１０２ｄとの間の補正処理が実施されることになる。
【００３２】
一方、Ｓ１０７において、全ての原稿の両面の画像読取が完了すると（図５：Ｓ１０７ＹＥＳ）、画像読取制御部４０２が、その旨を画像形成部４０５に通知し、当該通知を受けた画像形成部４０５が、前記読み取られた両面の画像に基づいて画像形成を実行し（図５：Ｓ１１３）、ユーザーは、両面印刷された印刷物を手に入れることが可能となる。
【００３３】
尚、本発明の実施形態では、画像読取部１０２を有する画像形成装置を想定したが、画像読取装置に適用しても構わない。又、本発明の実施形態では、複合機１００が各部を備えるよう構成したが、当該各部を実現するプログラムを記憶媒体に記憶させ、当該記憶媒体を提供するよう構成しても構わない。当該構成では、前記プログラムを画像読取装置に読み出させ、当該画像読取装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００３４】
以上のように、本発明に係る画像読取装置及び画像読取方法は、複合機はもちろん、複写機、プリンタ、スキャナー等の画像読取装置に有用であり、原稿の無給紙ＪＡＭが発生した場合でも、当該原稿の両面画像の読取開始を早めることが可能な画像読取装置及び画像読取方法として有効である。
【符号の説明】
【００３５】
１００  複合機
１０２  画像読取部
Ｐ  搬送路
４０１  表示受付部
４０２  画像読取部
４０３  原稿搬送部
４０４  無給紙ＪＡＭ検知部
４０５  画像形成部
【図１】
2016012775.tif 000003
【図２】
2016012775.tif 000004
【図３】
2016012775.tif 000005
【図４】
2016012775.tif 000006
【図５】
2016012775.tif 000007
【図６】
2016012775.tif 000008